(57)【要約】【課題】ミシン縫い及び手縫いの練習を容易且つ正確に行うことができ、ミシン縫い及び手縫いが正しく綺麗に行われているか等を先生の評価と共に自己診断することができる裁縫実習キットを提供することにある。【解決手段】バインダーノートＮと、該ノートに綴込み可能な自己診断カルテシートＳと、該カルテシートに切取り貼付可能な布片Ｄと、裁縫実習用のボタン等の止め具Ｇとを備え、前記カルテシートＳには、その表面に氏名欄５、ミシン縫い及び手縫いの布片作品貼り付け欄６Ａ，６Ｂ、ミシン縫い及び手縫い感想記載欄７Ａ，７Ｂ、先生評価記載欄８Ａ，８Ｂ、ミシン縫い及び手縫いの自己評価欄９，１０が記載され、布片Ｄにはミシン縫い、手縫いの練習欄１１，１２及び折込線１１ｂ〜１１ｄ，１２ｂ〜１２ｄがシルク印刷され、ミシン縫い練習欄１１及び手縫い練習欄１２には複数本の縫付け指標線１３，１４がシルク印刷されていることを特徴とする。【選択図】図１
0003121129.tif 000002
【実用新案登録請求の範囲】
【請求項１】
バインダーノートと、このバインダーノートに綴込み可能な自己診断カルテシートと、この自己診断カルテシートに切取り貼付可能な布片と、この布片に対する裁縫実習用のボタン等の止め具とを備え、
前記バインダーノートは、その表表紙と背表紙との間に、ミシン縫い及び手縫いの布片作品を貼付し且つ必要事項を記入した自己診断カルテシートを綴込み保管できるバインダーを有し、
前記自己診断カルテシートには、その表面に氏名欄、ミシン縫い及び手縫いの布片作品貼り付け欄、ミシン縫い及び手縫い感想記載欄、先生評価記載欄、ミシン縫い及び手縫いの自己評価欄が記載され、また裏面にはミシン縫い及び手縫いの説明欄と、止め具縫着方法等の説明欄が記載され、
前記布片には、ミシン縫い、手縫いの練習欄及び折込線がシルク印刷され、前記ミシン縫い練習欄及び手縫い練習欄には複数本の縫付け指標線がシルク印刷されていることを特徴とする教材用裁縫実習キット。
【請求項２】
請求項１の教材用裁縫実習キットに、基礎縫い説明シートを付加したこと、この基礎縫い説明シートには基礎縫いの説明文印刷欄及びメジャーが表示され、このメジャーによって手縫いの縫い目ピッチを測り、自己診断できる構成となっていることを特徴とする請求項１記載の教材用裁縫実習キット。
【請求項３】
前記止め具はボタン、雌スナップ、雄スナップのうちの少なくとも１種または複数種であり、この１種または複数種の止め具を縫着する止着位置表示が前記布片の手縫い練習欄に表示されていることを特徴とする請求項１記載の教材用裁縫実習キット。
【考案の詳細な説明】
【技術分野】
【０００１】
この考案は、小中学校の生徒個人個人に配布する教材用裁縫実習キットに関する。
【背景技術】
【０００２】
小中学校の家庭科の授業においては、従来、適当な大きさの布片と、この布片に対する裁縫実習用の縫い糸、縫い針、ボタン等の止め具をセットにした教材用の裁縫実習キットを生徒に配布している。生徒は、配布された裁縫実習キットを使用し、ミシン縫い及び手縫いの練習、ボタン等の止め具の付け方の練習を行っている。
【考案の開示】
【考案が解決しようとする課題】
【０００３】
しかし、前記従来の教材用裁縫実習キットでは、ミシン縫い及び手縫いの練習とボタン等の止め具の付け方の練習を布片に対するミシン縫い及び手縫いと、ボタン等の止め具の縫着によって行うことはできるが、ミシン縫い（曲線縫い、直線縫い、角部分縫い等）が正しく綺麗に行われているか、手縫い（並縫い、返し縫い、まつり縫い等）が正しく綺麗に行われているか、ボタン等の止め具が正しく綺麗に縫付けられているか等を自己診断することができない問題があった。
【０００４】
この考案は、前記事情に着目してなされたもので、その目的とするところは、ミシン縫い及び手縫いの練習を容易に行うことができ、この裁縫やボタン付け等の練習後にミシン縫い（曲線縫い、直線縫い、角部分縫い等）及び手縫い（並縫い、返し縫い、まつり縫い等）が正しく綺麗に行われているか、ボタン等の止め具が正しく綺麗に縫い付けられているか等を先生の評価と共に自己診断することができ、しかも自己診断したカルテシートをバインダーノートに綴じ込んで保管管理し、後で洋服等を作る際の参考資料にすることができる実用的で教材価値の高い裁縫実習キットを提供することにある。
【課題を解決するための手段】
【０００５】
この考案は前記の目的を達成するために、請求項１の教材用裁縫実習キットは、バインダーノートＮと、このバインダーノートに綴込み可能な自己診断カルテシートＳと、この自己診断カルテシートに切取り貼付可能な布片Ｄと、この布片に対する裁縫実習用のボタン等の止め具Ｇとを備えたこと、
前記バインダーノートＮは、その表表紙１と背表紙３との間に、ミシン縫い及び手縫いの布片作品を貼付し且つ必要事項を記入した自己診断カルテシートＳを綴込み保管できるバインダー３を有すること、
前記自己診断カルテシートＳには、その表面に氏名欄５、ミシン縫い及び手縫いの布片作品貼り付け欄６Ａ，６Ｂ、ミシン縫い及び手縫い感想記載欄７Ａ，７Ｂ、先生評価記載欄８Ａ，８Ｂ、ミシン縫い及び手縫いの自己評価欄９，１０が記載され、また裏面にはミシン縫い及び手縫いの説明欄１６，１７と、止め具縫着方法等の説明欄１８が記載されていること、
前記布片Ｄには、ミシン縫い、手縫いの練習欄１１，１２及び折込線１１ｂ〜１１ｄ，１２ｂ〜１２ｄがシルク印刷され、前記ミシン縫い練習欄１１及び手縫い練習欄１２には複数本の縫付け指標線１３，１４がシルク印刷されていることを特徴とする。
【０００６】
また請求項２は、請求項１の教材用裁縫実習キットに、基礎縫い説明シートＨを付加したこと、この基礎縫い説明シートＨには基礎縫いの説明文印刷欄２０及びメジャー２５が表示され、このメジャー２５によって手縫いの縫い目ピッチを測り、自己診断できる構成となっていることを特徴とする。
【０００７】
前記止め具Ｇはボタンｇ１、雌スナップｇ２、雄スナップｇ３のうちの少なくとも１種または複数種であり、請求項３の教材用裁縫実習キットにおいては、この１種または複数種の止め具を縫着する止着位置表示１５が前記布片Ｄの手縫い練習欄１２に表示されていることを特徴とする。
【考案の効果】
【０００８】
この考案の請求項１に係る教材用裁縫実習キットは、布片Ｄにミシン縫い、手縫いの練習欄１１，１２及び折込線１１ｂ〜１１ｄ，１２ｂ〜１２ｄがシルク印刷され、このミシン縫い練習欄１１及び手縫い練習欄１２に複数本の縫付け指標線１３，１４がシルク印刷されているので、この複数本の縫付け指標線１３，１４に沿ってミシン縫い及び手縫いの運針を行うことによって、ミシン縫い（曲線縫い、直線縫い、角部分縫い等）及び手縫い（並縫い、返し縫い、まつり縫い等）の練習を容易に行うことができる。
【０００９】
また、前記自己診断カルテシートＳには、その表面にミシン縫い及び手縫いの布片作品貼り付け欄６Ａ，６Ｂ、ミシン縫い及び手縫い感想記載欄７Ａ，７Ｂ、先生評価記載欄８Ａ，８Ｂ、ミシン縫い及び手縫いの自己評価欄９，１０が記載され、裏面にミシン縫い及び手縫いの説明欄１６，１７と、止め具縫着方法等の説明欄１８が記載されているので、この自己診断カルテシートＳを用いてミシン縫い及び手縫いが正しく綺麗に行われているか、ボタン等の止め具Ｇが正しく綺麗に縫い付けられているか等を先生の評価と共に自己診断することができる。
【００１０】
更に、バインダーノートＮを備えていることにより、ミシン縫い及び手縫いの布片作品Ｄ１，Ｄ２を貼付し且つ必要事項を記入した自己診断カルテシートＳをバインダーノートＮに綴じ込んで保管管理し、後で洋服等を作る際の参考資料にすることができる。
【００１１】
請求項２の教材用裁縫実習キットにおいては、基礎縫い説明シートＨのメジャー２５で布片作品Ｄ１，Ｄ２の手縫いの縫い目ピッチを測ることにより、縫い目が均一になっているか見た目が良いか悪いか等を容易に自己診断することができる。
【００１２】
また請求項３の教材用裁縫実習キットにおいては、前記布片Ｄの手縫い練習欄１２に１種または複数種の止め具Ｇを縫着するための止着位置表示１５を表示しているので、所定の位置に対する止め具Ｇの縫付けを容易に行うことができる。
【考案を実施するための最良の形態】
【００１３】
以下、この考案の実施の形態を図面に従い具体的に説明する。
【００１４】
図１はこの考案の教材用裁縫実習キットの全体的な構成説明図、図２は同裁縫実習キットの一構成要素として備えられる自己診断カルテシートの展開表面図、図３は前記カルテシートの展開裏面図、図４は前記裁縫実習キットの一構成要素として備えられる布片の展開平面図、図５は前記裁縫実習キットの付帯構成要素として備えられる基礎縫い説明シートの展開平面図、図６は図２の自己診断カルテシートにミシン縫い及び手縫いの布片作品を貼付し且つ必要事項を記入した状態で示す自己診断カルテシートの展開平面図である。
【００１５】
この実施例の教材用裁縫実習キットは、バインダーノートＮと、このバインダーノートに綴込み可能な自己診断カルテシートＳと、この自己診断カルテシートに切取り貼付可能な布片Ｄと、この布片に対する裁縫実習用のボタン等の止め具Ｇと、基礎縫い編として付帯する基礎縫い説明シートＨとを具備する。
【００１６】
前記バインダーノートＮは、その表表紙１と背表紙２との間に、ミシン縫い及び手縫いの布片作品Ｄ１，Ｄ２（この作り方については後述する）を図６の如く貼付し且つ必要事項を同図の如く記入した自己診断カルテシートＳを図１想像線で示すように綴込み保管できるバインダー３を有する。
【００１７】
前記自己診断カルテシートＳは中央折り線４を挟む中央位置に前記バインダー３に対する４個の綴込み孔４ａを設けたＡ３版位の大きさの印刷仕様であって、その表面には氏名欄５と、ミシン縫い及び手縫いの布片作品貼り付け欄６Ａ，６Ｂと、ミシン縫い及び手縫い感想記載欄７Ａ，７Ｂと、先生評価記載欄８Ａ，８Ｂと、ミシン縫い及び手縫いの自己評価欄９，１０とが図１，図２の如く配置して記載されている。
【００１８】
前記ミシン縫いの自己評価欄９は、返し縫いのチェック事項欄９ａと、直線縫いのチェック事項欄９ｂと、角部分縫いのチェック事項欄９ｃと、曲線縫いのチェック事項欄９ｄと、三つ折りミシン縫いのチェック事項欄９ｅと、その他のチェック事項欄９ｆと、前記各チェック事項欄９a〜９ｅに対応してＡ，Ｂ，Ｃの自己評価を図６の如く選択記入する自己評価欄９ｇとを有する構成となっている。
【００１９】
更に詳述すると、前記返し縫いのチェック事項欄９ａは、例えば形態の異なるＡ，Ｂ，Ｃの縫い目表示を見て、Ａ：縫い目に重なっている，Ｂ：縫い目より少々ずれている，Ｃ：縫い目より外れている，のチェック事項を択一的に選択する形式になっている。
【００２０】
前記直線縫いのチェック事項欄９ｂは、例えば形態の異なるＡ，Ｂ，Ｃの縫い目表示を見て、Ａ：まっすぐな直線，Ｂ：線から外れた直線，Ｃ：線から外れ、ゆがんでいる，のチェック事項を択一的に選択する形式になっている。
【００２１】
前記角部分縫いのチェック事項欄９ｃは、例えば形態の異なるＡ，Ｂ，Ｃの縫い目表示を見て、Ａ：直角（９０度）のきれいな角，Ｂ：直角（９０度）にならない，Ｃ：線から外れ角ができていない，のチェック事項を択一的に選択する形式になっている。
【００２２】
前記曲線縫いのチェック事項欄９ｄは、例えば形態の異なるＡ，Ｂ，Ｃの縫い目表示を見て、Ａ：線上を縫えた，Ｂ：少し線から外れたが大体縫えた，Ｃ：線からはずれ、直線になっている部分がある，のチェック事項を択一的に選択する形式になっている。
【００２３】
前記三つ折りミシン縫いのチェック事項欄９ｅは、例えば形態の異なる３つの三つ折りミシン図を見て、Ａ：まっすぐな直線で端から０．２ｃｍ前後の所に縫ってある，Ｂ：ほぼまっすぐな直線だが端より少し中へ入りすぎている，Ｃ：縫い目がまっすぐではなく一部が端からはみだしている，のチェック事項を択一的に選択する形式になっている。
【００２４】
その他のチェック事項欄９ｆは、例えば質問事項に対する答えを「はい・いいえ」に丸をつけて答える複数の問題と、ミシン縫いの裁縫で不明な点を自分で記入する欄とを有する構成となっている。
【００２５】
前記手縫いの自己評価欄１０は、玉結びのチェック事項欄１０ａと、並縫いのチェック事項欄１０ｂと、返し縫いのチェック事項欄１０ｃと、まつり縫いのチェック事項欄１０ｄと、玉止めのチェック事項欄１０ｅと、その他のチェック事項欄１０ｆと、前記各チェック事項欄１０a〜１０ｅに対応してＡ，Ｂ，Ｃの自己評価を図６の如く選択記入する自己評価欄１０ｇとを有する構成となっている。
【００２６】
更に詳述すると、前記玉結びのチェック事項欄１０ａは、例えば形態の異なるＡ，Ｂ，Ｃの玉結び表示を見て、Ａ：糸はしが短く、きれいな丸型，Ｂ：きれいな丸型だが、糸はしが長め，Ｃ：玉部分が大きく、余分な輪ができている，のチェック事項を択一的に選択する形式になっている。
【００２７】
前記並縫いのチェック事項欄１０ｂは、例えば形態の異なるＡ，Ｂ，Ｃの縫い目表示を見て、Ａ：まっすぐな直線で縫い目が均一，Ｂ：縫い目は良いが線からはず太，Ｃ：縫い目がそろわず線からはずれた，のチェック事項を択一的に選択する形式になっている。
【００２８】
前記返し縫いのチェック事項欄１０ｃは、例えば形態の異なるＡ，Ｂ，Ｃの縫い目表示を見て、Ａ：まっすぐな直線で縫い目が均一，Ｂ：縫い目は良いが線からはずれた，Ｃ：縫い目がそろわず線からはずれた，のチェック事項を択一的に選択する形式になっている。
【００２９】
前記まつり縫いのチェック事項欄１０ｄは、例えば形態の異なるＡ，Ｂ，Ｃの縫い目表示を見て、Ａ：縫い目が均一で表地を０．１ｃｍすくってある，Ｂ：縫い目はほぼ均一だが表地のすくう量が多い（０．２ｃｍ以上），Ｃ：縫い目、表地のすくう量とも均一でなく、見た目がきれいでない，のチェック事項を択一的に選択する形式になっている。
【００３０】
前記玉止めのチェック事項欄１０ｅは、例えば形態の異なるＡ，Ｂ，Ｃの玉止め表示を見て、Ａ：糸はしが短く、きれいな丸型，Ｂ：きれいな丸型だが、糸はしが長め，Ｃ：玉部分が大きく、余分な輪ができている，のチェック事項を択一的に選択する形式になっている。
【００３１】
その他のチェック事項欄１０ｆは、例えば質問事項に対する答えを「はい・いいえ」に丸をつけて答える複数の問題と、手縫い裁縫で不明な点を自分で記入する欄とを有する構成となっている。
【００３２】
前記布片Ｄには、縦長長方形状の裁断線１１ａ，１２ａで区画されたミシン縫い、手縫いの練習欄１１，１２と、このミシン縫いの練習欄１１と手縫いの練習欄１２を区画する中央折込線１１ｂ，１２ｂ及び三つ折り用の下方折込線１１ｃ，１１ｄ，１２ｃ，１２ｄが図４の如くシルク印刷され、前記ミシン縫い練習欄１１の裁断線１１ａと中央折込線１１ｂと下方折込線１１ｃで囲まれた方形領域部分には複数本の縫付け指標線１３がシルク印刷され、前記手縫いの練習欄１２の裁断線１２ａと中央折込線１２ｂと下方折込線１２ｃで囲まれた方形領域部分には複数本の縫付け指標線１４と、複数種の止め具Ｇを縫着する止着位置表示１５とが図６の如くシルク印刷されている。
【００３３】
なお、前記ミシン縫い用の縫付け指標線１３は、（）形状をなす円弧縫いの縫付け指標線１３ａ，１３ｂとコ形状の縫付け指標線１３ｃと直線状の縫付け指標線１３ｄとからなる。また前記手縫い用の縫付け指標線１４は、直線状をなす並縫い１の縫付け指標線１４ａ及び返し縫いの縫付け指標線１４ｂと、付線しない並縫い２の仮想指標線１４ｃとからなり、返し縫いの縫付け指標線１４ｂの下方位置には「まつり縫い」の縫着位置表示１４ｄが記載されている。前記止着位置表示１５はボタンｇ１を縫着する止着位置表示１５ａと、雌スナップｇ２を縫着する止着位置表示１５ｂと、雄スナップｇ３を縫着する止着位置表示１５ｃとからなる。
【００３４】
図３は自己診断カルテシートＳの裏面図を示している。この自己診断カルテシートＳの裏面には、布地Ｄを裁断線１１ａ，１２ａに沿って裁断し、中央折込線１１ｂ，１２ｂを後ろ側に折り、下方折込線１１ｃ，１１ｄ・１２ｃ，１２ｄを前側に三つ折りする旨を表現した裁断折込説明欄Ｓａと、ミシン縫い及び手縫いの説明欄１６，１７と、止め具縫着方法等の説明欄１８（四つ孔ボタンｇ１のつけ方を説明した説明欄１８ａと雌スナップｇ２のつけ方を説明した説明欄１８ｂとからなる）とが記載されている。
【００３５】
前記ミシン縫いの説明欄１６は、縫付け指標線１３ａ，１３ｂに沿った円弧縫いの説明欄１６ｂと、縫付け指標線１３ｃ，１３ｄの縫い始め端及び終端位置における円弧縫いの説明欄１６ｃと、縫付け指標線１３ｃ，１３ｄに沿った直線縫いの説明欄１６ｄと、縫付け指標線１３ｃの角部位置における角部分縫いの説明欄１６ｅと、三つ折りミシン縫いの説明欄１６ｆとを付図１６ａを参照して記載した構成となっている。
【００３６】
そして、これらの説明欄Ｓａ，１６ｂ〜１６ｆを判読して、布片Ｄの裁断折込方法及びミシン縫いの方法を理解した後、前記布片Ｄを裁断線１１ａに沿って実際に裁断し、中央折込線１１ｂを後ろ側に折り、下方折込線１１ｃ，１１ｄを前側に三つ折りする作業と、複数本の縫付け指標線１３（円弧縫いの縫付け指標線１３ａ，１３ｂとコ形状の縫付け指標線１３ｃと直線状の縫付け指標線１３ｄ）に沿った実際のミシン縫い作業を行えば、自己診断カルテシートＳの布片作品貼り付け欄６Ａに貼付可能な図６の如きミシン縫いの布片作品Ｄ１を得ることができる。
【００３７】
このミシン縫いの実習によって曲線縫い、直線縫い、角部分縫い等の縫い方を覚え、その縫い方が正しく綺麗に行われているか等を自己診断カルテシートＳにミシン縫い布片作品Ｄ１を貼付し且つ必要事項を記入して診断することにより、先生の評価と共に自己診断することができる。
【００３８】
前記カルテシートＳの裏面に記載される手縫いの説明欄１７は、縫付け指標線１４ａ，１４ｂ及び付線しない仮想の縫付け指標線１４ｃの両端位置における玉止めの説明欄１７ａ，１７ｂと、三つ折り部分におけるまつり縫いの説明欄１７ｃと、縫付け指標線１４ａ，１４ｂ及び付線しない仮想の縫付け指標線１４ｃに沿った並縫いの説明欄１７ｄと、返し縫いの説明欄１７ｅとを付図１７ｆを参照して記載した構成となっている。
【００３９】
そして、これらの説明欄Ｓａ，１７ａ〜１７ｅ，１８ａ，１８ｂを判読して、布片Ｄの裁断折込方法及び手縫いの方法を理解した後、前記布片Ｄを裁断線１２ａに沿って実際に裁断し、中央折込線１２ｂを後ろ側に折り、下方折込線１２ｃ，１２ｄを前側に三つ折りする作業と、複数本の縫付け指標線１４（直線状の縫付け指標線１４ａ，１４ｂ及び付線しない仮想の縫付け指標線１４ｃ）に沿った実際の手縫い作業と、止め具止着位置表示１５（ボタンｇ１を縫着する止着位置表示１５ａと雌スナップｇ２を縫着する止着位置表示１５ｂと雄スナップｇ３を縫着する止着位置表示１５ｃ）におけるボタンｇ１と雌スナップｇ２、雄スナップｇ３の縫付け作業を行えば、自己診断カルテシートＳの布片作品貼り付け欄６Ｂに貼付可能な図６の如き手縫いの布片作品Ｄ２を得ることができる。
【００４０】
この手縫い及び止め具付けの実習によって並縫い、返し縫い、まつり縫い等の縫い方とボタン付け等の方法を覚え、その縫い方やボタン付け等が正しく綺麗に行われているか等を自己診断カルテシートＳに手縫い布片作品Ｄ２を貼付し且つ必要事項を記入して診断することにより、先生の評価と共に自己診断することができる。
【００４１】
図５はこの考案の教材用裁縫実習キットに付帯される基礎縫い説明シートＨの展開平面図を示す。
【００４２】
この基礎縫い説明シートＨは例えばＡ４版大の紙葉であって、その中央部に基礎縫いの説明文印刷欄２０が表示され、紙葉一側沿いに２５ｃｍ位の長さを有するメジャー２５が表示され、このメジャー２５によって手縫いの縫い目ピッチを測り、手縫いの縫い目の良否などを自己診断できる構成となっている。
【００４３】
なお、前記基礎縫いの説明文印刷欄２０はジャケット絵Ｐ1，ワイシャツ絵Ｐ２，ズボン絵Ｐ３，スカート絵Ｐ４を用いて、ボタンの機能や意味等を説明したボタン説明欄２１と、返し縫いの機能等を説明した返し縫い説明欄２２と、スナップ及びカギホックの機能等を説明した止め具説明欄２３と、まつり縫いの機能や縫製上の注意点などを説明したまつり縫いの説明欄２４とからなる。
【００４４】
前記実施例は止め具Ｇとしてボタンｇ１、雌スナップｇ２、雄スナップｇ３の３種類を適用した例について述べたが、ボタンｇ１、雌スナップｇ２、雄スナップｇ３のうちの少なくとも１種または複数種を適用するように変更することができる。
【００４５】
なお、この考案は前記実施形態そのままに限定されるものではなく、実施段階ではその要旨を逸脱しない範囲で構成要素を変形して具体化できる。また、前記実施形態に開示されている複数の構成要素の適宜な組合せにより種々の考案を形成できる。例えば、実施形態に示される全構成要素から幾つかの構成要素を削除してもよい。さらに、異なる実施形態に亘る構成要素を組合わせてもよい。
【図面の簡単な説明】
【００４６】
【図１】この考案の教材用裁縫実習キットの全体的な構成説明図。
【図２】同裁縫実習キットの一構成要素として備えられる自己診断カルテシートの展開表面図。
【図３】前記カルテシートの展開裏面図。
【図４】前記裁縫実習キットの一構成要素として備えられる布片の展開平面図。
【図５】前記裁縫実習キットの付帯構成要素として備えられる基礎縫い説明シートの展開平面図。
【図６】図２の自己診断カルテシートにミシン縫い及び手縫いの布片作品を貼付し且つ必要事項を記入した状態で示す自己診断カルテシートの展開平面図。
【符号の説明】
【００４７】
Ｎ…バインダーノート、１…表表紙、２…裏表紙、３…バインダー、Ｓ…自己診断カルテシート、５…氏名欄、６Ａ…ミシン縫いの布片作品貼り付け欄、６Ｂ…手縫いの布片作品貼り付け欄、７Ａ…ミシン縫い感想記載欄、７Ｂ…手縫い感想記載欄、８Ａ，８Ｂ…先生評価記載欄、９…ミシン縫いの自己評価欄、１０…手縫いの自己評価欄、Ｄ…布片、１１…ミシン縫いの練習欄、１２…手縫いの練習欄、１１ａ，１２ａ…裁断線、１１ｂ〜１１ｄ，１２ｂ〜１２ｄ…折込線、１３，１４…縫付け指標線、１５…留め具の止着位置表示、Ｓａ…裁断折込説明欄、１６…ミシン縫いの説明欄、１７…手縫いの説明欄、１８…止め具縫着方法等の説明欄、Ｄ１…ミシン縫いの布片作品、Ｄ２…手縫いの布片作品、Ｅ…縫い糸、Ｆ…縫い針、Ｇ…ボタン等の止め具、Ｈ…基礎縫い説明シート、２０…基礎縫いの説明文印刷欄、２５…メジャー。
【図１】
0003121129.tif 000003
【図２】
0003121129.tif 000004
【図３】
0003121129.tif 000005
【図４】
0003121129.tif 000006
【図５】
0003121129.tif 000007
【図６】
0003121129.tif 000008